(57)【特許請求の範囲】
【請求項１】
フード体の前側開放部を前板で開閉可能に被蓋し、前記フード体内に前記前板側に向けて上向き傾斜状の仕切板を斜設し、該仕切板の上方空間の背面よりの位置に送風機を配置し、該送風機のファンケーシング前面に前記仕切板の上方空間を左右方向に横断して前記上方空間を前後に分断する前面パネルを設け、該前面パネルにベルマウスを取付けて前記送風機の吸気口を形成し、前記吸気口の前方に整流板を配置したブーツ型レンジフードファンであって、
前記前面パネルに前記整流板を着脱自在に取付ける取付手段を設け、
前記仕切板の前側を前記整流板の下端位置の前方まで連続して延長し、前記仕切板に前記前面パネルの下端が取付けられる起立部を設けると共に、該起立部の下端に連通部を設け、
前記仕切板に、前記連通部に連通し前記ベルマウス及び前記ファンケーシングの直下を経由して前記フード体の背面側に至るオイルラインを形成し、前記オイルラインの下端部に前記フード体の背面に設けたオイルパックへの排出口を開口し、
前記ファンケーシングにおける前記送風機の高風圧が作用しない低風圧エリアに、前記オイルラインに臨ませたオイル抜き孔を形成したことを特徴とするブーツ型レンジフードファン。
【請求項２】
前記オイルラインは、前記仕切板にプレス成形によって前記連通部に対応した拡開部を有する平面視略漏斗状に形成されることを特徴とする請求項１に記載のブーツ型レンジフードファン。
【請求項３】
前記オイルラインは前記仕切板の上面にオイルガイドを重ね合わせて形成されることを特徴とする請求項１に記載のブーツ型レンジフードファン。
【発明の詳細な説明】
【０００１】
【発明の属する技術分野】
本発明は、ブーツ型レンジフードファン、更に詳しくは室内への廃ガスの漏気を防止して、廃ガスの捕獲効率を向上させるブーツ型レンジフードファンに関するものである。
【０００２】
【従来の技術】
ブーツ型レンジフードファンでは、仕切板の前端とフード体の天板とに亘ってフィルタを係脱可能に配備し、その後方において送風機周りのサイド空間を吸気口を除いて被蓋する前面パネルで前方空間と隔絶した構造のものが存在する。
この先行技術は、送風機周りのサイド空間が入り組み尚且つフード体を組み立て形成する接合フランジ等の出っ張りで清掃が非常に厄介になる。
この面倒な清掃を皆無にするために前面パネルを配設している。
ところで、このブーツ型レンジフードファンとはタイプを異にする平型レンジフードファンには整流板ガイド方式と呼称されるタイプのものがある。
この整流板ガイド方式は、フード体のその開放部から一段奥張った位置にフィルタを着脱可能に設け、そのフィルタの上流側にフード体の開放縁との間に吸込空間を確保する整流板を配設して、整流板周りに吸込み力を集中させてフード体の開放縁からの室内への漏気を防止し、廃ガス捕獲効率を向上させようと言うものである。
【０００３】
前記する平型レンジフードファンに限らず、前記前面パネル付設タイプの懐が深いブーツ型レンジフードファンにおいても焼魚等で多量に煙が発生した場合等を考慮して整流板を配設するのが好適と言える。
整流板を設けると、仕切板に沿って上昇してくる途中で吸込み力が有効に作用せずにフード体の側面後部側から室内に漏気しがちになる廃ガスにも吸込み力を効果的に作用させて引き寄せることが可能になる。
しかしながら、整流板が比較的重量物であることから、フード体自体を耐強度のある構造にして対処する必要が生じ製作コスト面での問題を引き起こす虞れがある。
また、この整流板にも油脂分が多量に付着し、表面に沿って流下することから、その回収手段を必要とする。
回収手段としては、フィルタを支承する縦断面視コ形状のフィルタ桟と同様な構造で整流板の下端を支承することが提案されるものの、この桟は整流板専用に製作するにしても整流板の厚みよりも一回り大きな内幅寸法に形成されていることから、長期の使用で油脂分が溢れ、下方に滴下してしまう。
【０００４】
【発明が解決しようとする課題】
本発明は上記従来事情に鑑みてなされたもので、その技術的課題は、廃ガスのフード体外への漏気を防止する整流板の重量が局部的に集中せず、しかも整流板を伝って流下する油脂分を廃ガス上昇の障害物にならない構造簡単の油受け兼用の仕切構造で受け止めることである。
【０００５】
【課題を解決するための手段】
上記目的を解決するために講じた技術的手段は、フード体の前側開放部を前板で開閉可能に被蓋し、前記フード体内に前記前板側に向けて上向き傾斜状の仕切板を斜設し、該仕切板の上方空間の背面よりの位置に送風機を配置し、該送風機のファンケーシング前面に前記仕切板の上方空間を左右方向に横断して前記上方空間を前後に分断する前面パネルを設け、該前面パネルにベルマウスを取付けて前記送風機の吸気口を形成し、前記吸気口の前方に整流板を配置したブーツ型レンジフードファンであって、前記前面パネルに前記整流板を着脱自在に取付ける取付手段を設け、前記仕切板の前側を前記整流板の下端位置の前方まで連続して延長し、前記仕切板に前記前面パネルの下端が取付けられる起立部を設けると共に、該起立部の下端に連通部を設け、前記仕切板に、前記連通部に連通し前記ベルマウス及び前記ファンケーシングの直下を経由して前記フード体の背面側に至るオイルラインを形成し、前記オイルラインの下端部に前記フード体の背面に設けたオイルパックへの排出口を開口し、前記ファンケーシングにおける前記送風機の高風圧が作用しない低風圧エリアに、前記オイルラインに臨ませたオイル抜き孔を形成したことを特徴とする。
また、この特徴に加えて前記オイルラインは、前記仕切板にプレス成形によって前記連通部に対応した拡開部を有する平面視略漏斗状に形成されること、或いは前記オイルラインは前記仕切板の上面にオイルガイドを重ね合わせて形成されることを特徴とする。
【０００６】
【作用】
前記技術的手段によれば、下記の作用を奏する。
本ブーツ型レンジフードファンは、前面パネルをフード体と仕切板から立設する起立部とに取付け、その前面パネルの取付手段で整流板を保持させることによって前面パネルと整流板の組み付けを行い、整流板と前面パネルとの重量をフード体と斜設された仕切板とで分散させる。しかも整流板、前面パネルの表面に付着して流下する油脂分を、同仕切板で受け取めて起立部の連通部を経て後方に案内し、下方への滴下を防止する。その上、整流板と仕切板との間に形成された廃ガス吸込空間の吸込力が、整流板から仕切板に流下した油脂分に後方への流下勢力を付与して仕切板の後端部側に速やかに送り込む。
また、整流板や前面パネルから流下する油脂分をベルマウス及び送風機の直下を経由してフード体周面（側面、背面）の任意な面寄りに導くオイルラインを形成している。このオイルラインは浅底であれば良いことから、廃ガスが衝突してその上昇を妨害する障害物になることなく、ベルマウスとの取付部分や送風機から漏れ出る油脂分をもオイルパックへと排出する。
また、仕切板にプレス成形してオイルラインを形成した場合には、前記仕切板をリブ構造にして、フードの耐変形性を向上させることができる。また、仕切板の上面にオイルガイドを重ね合わせた場合には、オイルラインを平面状の仕切板に形成することもできる。
【０００７】
【発明の実施の形態】
次に、本発明の実施の形態を説明する。
図１乃至図３は本発明ブーツ型レンジフードファンの第１の実施の形態を示し、図４は第２の実施の形態の要部を示している。符号Ａはそのレンジフードファンである。
【０００８】
このブーツ型レンジフードファンＡは、前側開放部を前板２で開閉可能に被蓋したフード体１の中高部位に前板２側に向けて上向き傾斜状の仕切板３を斜設し、仕切板３上方の空間の背面１１寄りの位置に送風機４を、その前面に添接して前面パネル５を、更にその前方に整流板６を配したフィルタレス構造になっている。
【０００９】
前記仕切板３は、従来と同様にその前縁を除く３縁をフード体１の背面１１、両側面２１、２１にスポット溶接等適宜手段で水密状に固定され、前縁を図１に示すように前面パネル５の前方に配置する整流板６の下端位置の延長鉛直線上よりも前方まで連続して延長させてある。
【００１０】
前面パネル５は、送風機４のファンケーシング１４の前面に添接して仕切板３上方の空間を送風機４側の空間と前方の空間とに分断する面積によりも若干高さ寸法を低くした主板１５の上縁や左右縁等に取付フランジ２５を直角方向に折曲すると共に同主板１５にファンケーシング１４の前面開口４４と同等径の開口３５を穿設して形成されている。
この前面パネル５は、仕切板３の前記延長部１３部分に重合するＬ型材２３のその起立部３３に下端をネジ１００止めし、前記取付フランジ２５をフード体１の天面３１や側面２１に同様にネジ１００止めすることによって取付けられている。
【００１１】
前記Ｌ型材２３は、フード体１内幅寸法と同等長さになっており、前面パネル５とのネジ止め代として使用されない起立部３３の下半部部分にその長さ方向に適宜間隔をおいて連通部（連通孔）４３を形成している。
【００１２】
整流板６は、前記前面パネル５よりも一回り小さな面積を有してなり、前面パネル５に設けられている取付手段７で着脱可能に取着されている。
その取付手段７は、前面パネル５の下位部分の表面に固定され整流板６の下端を前後移動不能に支承する左右一対の受け部１７、１７と、前面パネル５の上位部分に固定され整流板６を挿通してネジ１００止めする左右一対の取付腕２７、２７とで構成されており、整流板６の下端を載承した状態で、整流板６の上位部分を取付腕２７、２７にネジ１００止めすることによって整流板６を装設して、整流板６周囲と前記延長部１３とフード体１内面との間に廃ガス吸込空間Ｘを形成している。
【００１３】
また、符号８はその仕切板に形成したオイルラインであり、図示するように拡開部を前記起立部３３と同等位置もしくは若干前方に位置させて平面視略漏斗状をもって仕切板３成形時にプレス成形することによって凹状に形成され、フード体１の背面１１寄りに位置する窄み部に排出口１８を開口し、同背面１１に係脱可能に設けられているオイルパック９にその排出口１８を臨ませてある。
このオイルライン８は、ベルマウス２４及びファンケーシング１４の直下を経由させてあり、またその拡開部は、両サイドに位置する連通部（連通孔）４３よりも拡開して全ての連通部４３を通過する油脂分を前記排出口１８に流下させるようにしてある。
符号６３は仕切板３前縁（延長部先端）の立ち上がり片であり、短寸法をもって立ち上げ形成してある。
【００１４】
送風機４は、小型なシロッコファンであり、ボリュート形状の胴部１４ａの左右の側板１４ｂ、１４ｂをスポット溶接や加締固定して製作したファンケーシング１４の前側の側板１４ｂに前記開口４４を設け、前記前面パネル５の開口３５にベルマウス２４を取付けて吸気口３４を形成し、後側の側板１４ｂの開口４４を塞ぐようにファン取付軸（図示せず）を回転駆動可能に有するファンモータ−５４を取付け、その取付軸（図示せず）にファン（シロッコファン）６４を軸着して構成されている。
【００１５】
このファンケーシング１４は、前記胴部１４ａの上縁及び両側板１４ｂ、１４ｂの上縁に外向きに取付フランジ１４ｃ…を折曲して吐出口１４ｄを囲繞形成し、その取付フランジ１４ｃをフード体１の天面３１に取付けることによって縦向き鉛直方向を向いて設置するようになっている。
【００１６】
また、このファンケーシング１４には胴部１４ａの下端部において高圧力エリアＳから外れた低圧力エリアＳ１にオイル抜き孔７４を開孔している。
【００１７】
この高圧力エリアＳは、ボリュートの中心直下である胴部１４ａ下端部分においてファン６４が丁度向き合う部分であり、この部分にはファン６４の遠心方向に高風圧が作用する。この高風圧が作用しない両サイドの低風圧エリアｓ１に１個づつまたは複数個のオイル抜き孔７４を開孔している。
【００１８】
前記低風圧エリアＳ１は、シロッコファンの大きさによって若干の差異はあるものの、各々１５ｍｍ程度確保されており、オイル抜き孔７４が一個の場合には中央部位に例えば５ｍｍ程度の大きさの三角形、四角形、星形等の多角形状をもって開孔され、複数個の場合には２乃至３個程度同形、異形をもって隣設状に開孔してある。
また、このオイル抜き孔７４は、胴部１４ａ縁から切欠状に開孔してあっても良いものである。
無論、このオイル抜き孔７４は、前記オイルライン８に臨ませてある。
【００１９】
このように構成されているブーツ型レンジフードファンでは、整流板６周囲の廃ガス吸込空間Ｘに吸込み力を集中させて廃ガスを吸引し排気ダクト２００から屋外に排気する。
そして、整流板６の表面を伝って流下する油脂分を仕切板３の延長部１３、詳細にはＬ型材２３の平面部５３で受け取めて、その起立部３３の連通部４３からオイルライン８に、また前面パネル５の表面を伝って流下する油脂分も同オイルライン８に案内し、また送風機４に送り込まれファン６４で吹き飛ばされてファンケーシング１４に付着し、高圧力エリアＳを避けて低圧力エリアＳ１へと移動する油脂分も移動するはしからオイル抜き孔７４を介してオイルライン８に排出し、更にベルマウス２４の前面パネル５への取付部の隙間から溢れ出る油脂分もオイルライン８で受け止める。
そして、下端の排出口１８に集中させ、そこからオイルパック９に滴下させる。
また、整流板６と仕切板３、詳細には延長部１３との間に形成された廃ガス吸込空間Ｘの吸込力を、整流板６から同延長部１３（詳細にはＬ型材２３の平面部５３）に滴下した油脂分に後方に押し遣る強制力として有効利用することができる。
また、整流板６、前面パネル５を取付けるに際しては、前面パネル５をまず取付け、その取付手段７を使用して前面パネル５の前方に整流板６を取付支持させれば良いものである。
【００２０】
また、図示しないが、前面パネル５と整流板６との間に整流板６よりも一回り小さく且つ吸気口よりも一回り大きな面積のフィルタを配設しても良いものである。
この実施の形態の場合には、前面パネル５の上位部分、下位部分表面から前方に向けて先端にフィルタ桟を有する支持腕を突設させ、その上下のフィルタ桟でフィルタを抜き差し可能に支承する構造にする。
フィルタ桟から漏洩する油脂分は、同様にＬ型材２３の平面部５３に滴下し、整流板６から滴下する油脂分と同様に連通部４３からオイルライン８に流下する。
【００２１】
また、前記オイルライン８は図４に示すように仕切板３の上面にオイルガイド２８を重合して構成しても良いものである。
オイルガイド２８は、前記するオイルライン８と同様な平面視略漏斗状を呈する板体２８ａの両左右縁に拡開部端を除いて短寸な側壁２８ｂを起設して形成してなり、前端を前記立ち上がり片６３に当接させた状態で仕切板３に重合し、その窄み部を仕切体３におけるフード体１の背面１１寄りに開口した排出口１７の真上まで延設させ、窄み部にその排出口１７に連通する連絡口２８ｃを開口している。
起立部３３を有するＬ型材２３は、前記のように側壁２８ｃが無い拡開端部上面に重合させてある。
そして、連通部４３を通過する油脂分を連絡口２８ｃ、排出口１７、オイルパック９へと案内する。
【００２２】
また、仕切板３を前板２側に連続して延長させてあることから、仕切板３上の側面視三角形状のエリアを大容量の油溜め部として理由することができ、メンテナンス周期を長く切望する今日のニーズに適したものとなる。この実施の形態の場合には、フード体１の側面２１後方下端域に適宜開閉可能なドレン栓を設け、他の個所に配設したオイルパンに回収する等適宜回収手段で対処すれば良いものである。
【００２３】
【発明の効果】
本発明は以上のように構成したので、下記の利点がある。
送風機の前面パネル自体に、吸気口を前方から間隔をおいて隠蔽する同前面パネルよりも一回り小さな面積の整流板を着脱可能に取着する取付手段を設け、該取付手段で整流板を取着すると共に仕切板を整流板の下端位置の前方まで前板側に連続して延長して、その延長部と前記整流板とフード体及び仕切板との間に廃ガスの吸込空間を形成し、前記仕切板から立設した起立部、フード体に前記前面パネルを取付け、その起立部に連通部を設けたブーツ型レンジフードファンであるから、整流板を支持する前面パネルの重量を、フード体の剛性と斜設された仕切板とで集中することなく分散して受け止め、敢えてフード体自体を堅牢な構造にせずとも耐久性を維持することができる。しかも、整流板を前面パネルに設けた取付手段を使用して取付けるものであるから、整流板を装設したにも関わらず、フード自体の大型化の心配はなく、その上、前面パネルをフード体と仕切板から立設する起立部とに取付け、その前面パネルの取付手段で整流板を支持することで整流板の組み付けが終了するものであるから、整流板を前面パネル前方の広い捕獲用空間を利用してその取付作業が実行でき、整流板の取付作業性も向上することができる。更に、整流板、前面パネル、送風機から滴下したり、漏れ出る油脂分を滴下防止効果を、前端を前板側に延長した仕切板の組み付けで達成することができ、廃ガス上昇の障害になることがなく、その上、前板側への延長によってフード体の周面（側壁と背板）とで大容量の油溜部が自ずと構成され、メンテナンス周期を延長する今日のニーズに最適なブーツ型レンジフードファンを廉価に提供可能となる。そして、整流板と仕切板との間に形成された廃ガス吸込空間の吸込力が、整流板から仕切板に滴下した油脂分に後方への流下勢力を付与して仕切板の後端部側に速やかに送り込むようになるから、仕切板が緩傾斜であったり、油脂分の粘性が混入物で比較的高粘性になって滴下位置で堰を構成し、それが引き金になって仕切板前端側から油脂分が調理器具等に滴下するような虞れも無い油脂分の案内作用を強化できる。
また、整流板から滴下する油脂分と共にベルマウスの取付部から漏れ出る油脂分をオイルラインでフード体周面の任意な面寄りに導き、オイルパックに案内するようにした場合には、仕切板を油脂分の流下体として利用して停滞させずに外部に排出することができ、無論、オイルラインは、仕切板に凹設形成するにしても浅底であれば良く、廃ガスが衝突してその上昇を妨害する障害物になる心配もない。
オイルラインのリブ機能で仕切板を有効に補強して耐強度を付与し、整流板を支えるに好適な支持構造を構成できる。廃ガスの上昇を全く阻害しない平面状の仕切板を効果的に補強して、整流板の優れた支持機能と所望する廃ガス上昇案内機能とを兼備することができる。
【図面の簡単な説明】
【図１】  第１の実施の形態の側面図で一部切欠して示す。
【図２】  要部の部分拡大断面図。
【図３】  仕切板、前面パネル、整流板の関係を示す分解斜視図。
【図４】  第２の実施の形態の要部の分解斜視図。
【符号の説明】
４：送風機                            ３：仕切板
５：前面パネル                      ３４：吸気口
６：整流板                          ３３：起立部
４３：連通部                        ２４：ベルマウス
８：オイルライン                      １：フード体
１８：排出口                          ７：取付手段
１４：ファンケーシング                Ｘ：廃ガス吸込空間
１１、２１：フード体の周面（背面、側面）
２８：オイルガイド
【図１】
0004212685.tif 000002
【図２】
0004212685.tif 000003
【図３】
0004212685.tif 000004
【図４】
0004212685.tif 000005